(57)【要約】【課題】  印刷物の状態に近い印刷プレビューを提示する。【解決手段】  パーソナルコンピュータ１００にプリンタ３００とプロジェクタ２００を接続して印刷プレビューシステムを構成する。プリンタ３００には、プロジェクタ２００によって印刷プレビュー画像を投写可能な位置に印刷用紙３２０を保持するための保持機構３１０が設けられている。パーソナルコンピュータ１００からプレビュー投写表示用のデータをプロジェクタ２００に送出することにより、保持機構３１０で保持された印刷用紙上に印刷プレビューＰＶが実寸で投写表示される。こうすることで、印刷物のサイズ、印刷用紙の質感を反映させた印刷プレビューを提示することが可能となる。【選択図】  図１
2005208792.tif 000002
【特許請求の範囲】
【請求項１】
印刷媒体に画像を印刷した状態を表す印刷プレビューを表示する印刷プレビューシステムであって、
前記印刷プレビューを投写表示するためのプロジェクタと、
前記画像のデータに基づいて、前記投写表示用のデータを生成し、前記プロジェクタに出力するデータ出力装置と、
印刷プレビューが実寸で投写表示されるよう、前記プロジェクタから所定の相対位置に前記印刷媒体を保持する保持機構とを備える印刷プレビューシステム。
【請求項２】
請求項１記載の印刷プレビューシステムであって、
前記印刷を行うための印刷装置を備え、
前記保持機構は、前記印刷装置への給紙機構の少なくとも一部を構成する印刷プレビューシステム。
【請求項３】
請求項１記載の印刷プレビューシステムであって、
前記保持機構は、前記プロジェクタと前記印刷媒体の間隔を一定に保持可能である印刷プレビューシステム。
【請求項４】
請求項１記載の印刷プレビューシステムであって、
前記データ出力装置は、
前記印刷媒体のサイズの指定を入力する用紙サイズ入力部と、
該印刷媒体のサイズに応じた倍率で、前記画像のデータを拡大または縮小して前記投写表示用のデータを生成するデータ生成部を備える印刷プレビューシステム。
【請求項５】
請求項４記載の印刷プレビューシステムであって、
前記データ出力装置は、
前記印刷プレビューの表示対象となる複数種類の印刷媒体について、それぞれのサイズを記憶する対象サイズ記憶部と、
前記各印刷媒体に対応した印刷プレビューを一定サイズの投写領域内に最大のサイズで表示するための倍率に基づいて、いずれか一つの印刷媒体を基準媒体として選択する基準設定部と、
前記基準媒体に対する印刷プレビューを実寸表示可能なサイズの投写領域に対して、前記各印刷媒体に対する印刷プレビューが実寸表示可能となるよう、印刷媒体ごとの倍率を設定する倍率設定部とを備え、
前記データ生成部は、該設定された倍率を用いて前記データを生成する印刷プレビューシステム。
【請求項６】
請求項４記載の印刷プレビューシステムであって、
前記印刷プレビューの表示対象となる複数種類の印刷媒体のそれぞれについて、投写領域内における前記印刷プレビューの表示位置を記憶する表示位置記憶部を有し、
前記データ生成部は、前記表示位置に応じて前記印刷プレビューを配置して、前記投写表示用のデータを生成する印刷プレビューシステム。
【請求項７】
請求項１記載の印刷プレビューシステムであって、
前記データ出力装置は、前記印刷プレビューの投写表示用に予め用意された色補正データを用いて、前記画像のデータに色補正を施して、前記投写表示用のデータを生成する印刷プレビューシステム。
【請求項８】
印刷媒体に画像を印刷した状態を表す印刷プレビューをプロジェクタによって投写表示する印刷プレビュー方法であって、
前記プロジェクタに投写表示用のデータを出力するデータ出力装置が実行する工程として、
前記画像のデータを入力する工程と、
前記印刷媒体のサイズの指定を入力する工程と、
該印刷媒体のサイズに応じた倍率で、前記画像のデータを拡大または縮小して前記投写表示用のデータを生成する工程とを備える印刷プレビュー方法。
【請求項９】
印刷媒体に画像を印刷した状態を表す印刷プレビューをプロジェクタによって投写表示する印刷プレビュー方法であって、
前記プロジェクタに投写表示用のデータを出力するデータ出力装置が実行する工程として、
前記印刷プレビューの投写表示用の色補正データを予め記憶する工程と、
前記画像のデータを入力する工程と、
前記色補正データを用いて、前記画像のデータに色補正を施して、前記投写表示用のデータを生成する工程とを備える印刷プレビュー方法。
【請求項１０】
印刷媒体に画像を印刷した状態を表す印刷プレビューをプロジェクタによって投写表示する印刷プレビューシステムにおいて、前記プロジェクタに投写表示用のデータを出力するためのコンピュータプログラムであって、
前記画像のデータを入力する機能と、
前記印刷媒体のサイズの指定を入力する機能と、
該印刷媒体のサイズに応じた倍率で、前記画像のデータを拡大または縮小して前記投写表示用のデータを生成する機能とをコンピュータによって実現するためのコンピュータプログラム。
【請求項１１】
印刷媒体に画像を印刷した状態を表す印刷プレビューをプロジェクタによって投写表示する印刷プレビューシステムにおいて、前記プロジェクタに投写表示用のデータを出力するためのコンピュータプログラムであって、
前記印刷プレビューの投写表示用に用意された色補正データを参照する機能と、
前記画像のデータを入力する機能と、
前記色補正データを用いて、前記画像のデータに色補正を施して、前記投写表示用のデータを生成する機能とを備えるコンピュータプログラム。
【発明の詳細な説明】
【技術分野】
【０００１】
本発明は、印刷媒体に画像を印刷した状態を表す印刷プレビューを表示する印刷プレビューシステムに関する。
【背景技術】
【０００２】
従来、コンピュータにおいて、種々のアプリケーションプログラムで作成した文書を印刷するためにプリンタが用いられている。文書を印刷した状態を、事前に確認することができるよう、アプリケーションプログラムやプリンタドライバは、コンピュータのディスプレイに印刷プレビューを表示する機能を有している（例えば、特許文献１など）。
【０００３】
【特許文献１】特開平１０−４００４５号公報
【発明の開示】
【発明が解決しようとする課題】
【０００４】
しかし、従来の印刷プレビューで表示される画像は、以下に示す点で、現実の印刷物の状態を正確に認識するには不十分であった。例えば、印刷プレビューの画像のサイズはディスプレイの大きさによって制約されるため、印刷用紙のサイズがディスプレイよりも大きい場合には、印刷プレビューは実寸で表示することができなかった。また、着色、下地模様の印刷、表面コーティング、エンボス加工などが施された特殊な印刷用紙や、布、プラスチック、金属、木などのへの印刷を行う場合には、印刷プレビューでは現実の印刷物に匹敵する質感を表すことができなかった。印刷プレビューのこうした不十分さに依り、ユーザは、所望する印刷物を得るためには、試し刷りを繰り返す必要があった。本発明は、こうした課題に鑑み、現実の印刷物の状態を把握しやすい印刷プレビューを提示することを目的とする。
【課題を解決するための手段】
【０００５】
本発明は、印刷媒体に画像を印刷した状態を表す印刷プレビューを表示する印刷プレビューシステムとして構成することができる。印刷媒体には、印刷用紙、布、プラスチック、金属、木など印刷可能な種々の媒体が含まれる。本発明の印刷プレビューシステムは、印刷プレビューを投写表示するためのプロジェクタ、データ出力装置、および印刷媒体の保持機構を備える。データ出力装置は、印刷プレビューすべき画像のデータに基づいて、投写表示用のデータを生成し、プロジェクタに出力する。データ出力装置は、例えば、パーソナルコンピュータなどで構成することができる。保持機構は、印刷プレビューが実寸で投写表示されるよう、プロジェクタから所定の相対位置に印刷媒体を保持する。本発明によれば、印刷媒体に印刷プレビューを実寸表示することができる。従って、現実の印刷物に近いサイズおよび質感で、印刷プレビューを提示することができる。
【０００６】
例えば、印刷装置への給紙機構の少なくとも一部を利用して保持機構を構成してもよい。この場合、印刷プレビューの表示に用いられた印刷媒体自体が印刷装置に供給される。従って、印刷プレビューを表示した印刷媒体と、印刷装置に供給される印刷媒体とが相違するという過誤の発生を抑制することができる。
【０００７】
保持機構は、プロジェクタおよび印刷装置の一方と必ずしも一体化されている必要はなく、別体であってもよい。必ずしも印刷媒体を保持するための専用の機構である必要もなく、印刷プレビューを表示している間、プロジェクタと一定の位置関係で印刷媒体を保持可能な種々の機構を適用できる。印刷プレビューの実寸表示は、プロジェクタと印刷媒体との間隔に応じて、ズーム機構などを微調整することによって実現可能である。この微調整の頻度を低減するため、保持機構は、プロジェクタと印刷媒体の間隔を一定に保持可能としてもよい。
【０００８】
種々の印刷媒体に対する印刷プレビューを効率的に行うため、データ出力装置は、印刷媒体のサイズの指定を入力し、入力されたサイズに応じた倍率で、画像のデータを拡大または縮小して投写表示用のデータを生成可能としてもよい。倍率とは、画像データの解像度の変換率を意味し、印刷プレビューすべき画像の幅または高さのいずれかについて、「投写表示用データにおけるピクセル数／画像データにおけるピクセル数」で定義できる。印刷媒体のサイズが大きい程、画像データにおけるピクセル数が大きくなるから、倍率は小さくなる。このように印刷媒体に応じた倍率で画像データを拡大または縮小すれば、上述の微調整を一旦完了させた後は、こうした微調整を行うまでなく、印刷媒体のサイズに応じた印刷プレビューを実寸表示することができる。
【０００９】
この倍率は、例えば、印刷プレビューの表示対象となる複数種類の印刷媒体のいずれかを基準媒体として設定することができる。基準媒体は、例えば、以下の手順で設定することができる。まず、各印刷媒体に対応した印刷プレビューを、一定サイズの投写領域内に最大のサイズで表示するための倍率を求め、この倍率に基づいて基準媒体を選択する。例えば、倍率が最小となる印刷媒体を基準媒体とすることが好ましい。こうして、基準媒体に対する印刷プレビューを実寸表示可能なサイズの投写領域に対して、各印刷媒体に対する印刷プレビューが実寸表示可能となるよう、印刷媒体ごとの倍率を設定することができる。基準媒体が決まると、投写表示用データの各ピクセルの間隔がどれだけの長さに相当するかが決まるため、この値に基づいて、各印刷媒体を実寸表示するための倍率は容易に設定可能である。
【００１０】
各印刷媒体に応じた倍率で画像データの拡大、縮小を行う場合、倍率によっては、投写領域内で印刷プレビュー画像の配置に自由度が生じることがある。従って、各印刷媒体について、投写領域内における印刷プレビューの表示位置を予め記憶しておくようにしてもよい。こうすることで、表示位置に応じて任意の位置に印刷プレビューを配置して、投写表示することができる。この態様は、保持機構の構造上の制約によって、印刷媒体のサイズに応じて、印刷媒体を保持する位置が異なる場合に有用である。
【００１１】
データ出力装置は、上述した倍率変換を行うか否かに関わらず、印刷プレビューの投写表示用に予め用意された色補正データを用いて、画像のデータに色補正を施してもよい。色補正データは、例えば、予め印刷されたカラーチャートと、印刷プレビューの色との対比に基づいて設定することができる。色補正データは、例えば、画像データの各色成分の階調値を変換するためのトーンカーブ、γ特性を変換するためのγ値などの形で与えることができる。このように印刷プレビュー用の色補正データを用いることにより、更に、現実の印刷物に近い色調で印刷プレビューを提示することが可能となる。
【００１２】
本発明は、上述した印刷プレビューシステムの他、種々の態様で構成可能である。例えば、印刷プレビューシステムで印刷プレビューを確認した上で、印刷を行う印刷方法として構成してもよい。また、印刷プレビューシステムを用いて投写表示用のデータを生成し、印刷プレビューを行う印刷プレビュー方法として構成してもよい。投写表示用のデータを作成し、印刷プレビューを行うためのコンピュータプログラム、かかるコンピュータプログラムを記録したコンピュータ読み取り可能な記録媒体として構成しても良い。
【００１３】
ここで、記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等、コンピュータが読取り可能な種々の媒体を利用できる。
【発明を実施するための最良の形態】
【００１４】
本発明の実施例について以下の順序で説明する。
Ａ．全体構成：
Ｂ．内部構造：
Ｃ．キャリブレーション処理：
Ｄ．表示位置登録処理：
Ｅ．色補正データ登録処理：
Ｆ．印刷プレビュー処理：
Ｇ．変形例：
【００１５】
Ａ．全体構成：
図１は実施例としての印刷プレビューシステムの全体構成を示す説明図である。パーソナルコンピュータ１００は、プロジェクタ２００およびプリンタ３００と、それぞれケーブルＣ１、Ｃ２で接続されている。パーソナルコンピュータ１００は、プリンタ３００に対しては印刷データを出力することができ、プロジェクタ２００に対しては投写表示用のデータを出力することができる。
【００１６】
プリンタ３００は、本実施例では、大判のロール紙３２０への印刷を行うインクジェットプリンタである。ロール紙３２０は、保持機構３１０に保持され、プリンタ３００に給紙され、矢印方向に搬送される。保持機構３１０は、天井３３０に固定されており、プロジェクタ２００から画像を投写可能な状態にロール紙３２０を保持する。ロール紙３２０とプロジェクタ２００との間隔Ｄに応じて、プロジェクタ２００のズーム機構を予め調整しておくことにより、ロール紙３２０上に印刷プレビューＰＶを実寸で投写することができる。プロジェクタ２００で、いわゆる「あおり投写」を行う場合には、併せて台形歪みも調整しておくことが好ましい。プリンタ３００は、図示した例に限らず、単票への印刷を行うタイプを利用してもよい。この場合は、図示した保持機構３１０に代えて、投写表示可能な位置に、単票の印刷用紙を立てて保持可能な種々の機構を用いることができる。
【００１７】
Ｂ．内部構造：
図２は各装置の内部構造を示す説明図である。上側にはパーソナルコンピュータ１００内にコンピュータプログラムをインストールすることでソフトウェア的に構築される機能ブロックを示した。下側には、プロジェクタ２００内のハードウェア的な構成を機能ブロックとして模式的に示した。それぞれソフトウェア的に構成されているものはハードウェア的に構成してもよいし、その逆であってもよい。
【００１８】
パーソナルコンピュータ１００の内部構造について説明する。パーソナルコンピュータ１００には、オペレーティングシステム上で、種々のソフトウェアが稼働し、図示する機能ブロックを構成する。アプリケーションプログラム１１０は、印刷対象となる文書や画像（以下、両者を総称して「画像」と称する）を生成する。ユーザが、「印刷」を指示すると、アプリケーションプログラム１１０は、印刷対象となる画像データをプリンタドライバ１２０に受け渡す。プリンタドライバ１２０は、この画像データに基づいてプリンタ３００に印刷を行わせるための印刷データを生成し、プリンタ３００に出力する。
【００１９】
ユーザが「印刷プレビュー」を指示すると、アプリケーションプログラム１１０は、画像データをプレビュー制御部１３０に送出する。アプリケーションプログラム１１０自体が、印刷プレビューを提供する機能を有している場合もあるが、本実施例では、アプリケーションプログラム１１０とは別のソフトウェアでこの機能を提供するものとした。アプリケーションプログラム１１０からプレビュー制御部１３０への画像データの受け渡しは、例えば、プレビュー制御部１３０をプリンタドライバの一種としてアプリケーションプログラム１１０に認識させることにより、容易に実現することができる。プレビュー制御部１３０は、図示した例に限らず、アプリケーションプログラム１１０またはプリンタドライバ１２０の一機能として、これらに組み込んでもよい。
【００２０】
プレビュー制御部１３０では、プレビューデータ生成部１３８が、アプリケーションプログラム１１０から受け取った画像データに基づいて、印刷プレビュー用のデータ（以下、「プレビューデータ」と称する）を生成する。プレビューデータ生成部１３８は、印刷プレビューを、現実の印刷物と同様の色調で、かつ実寸で表示可能するため、画像データに対して、色補正処理や拡大・縮小処理などを行う。色補正データ記憶部１３６は、色補正処理に用いられるパラメータ、例えば、トーンカーブやγ値などを記憶している。基準値記憶部１３４は、拡大・縮小処理に用いられるパラメータ、例えば、スケールや表示位置を特定するデータを記憶している。色補正データ記憶部１３６、基準値記憶部１３４のデータは、キーボードやマウスなどに対するユーザの操作に基づき、登録部１３２が登録を行う。
【００２１】
プロジェクタ２００の構造について説明する。プロジェクタ２００は、光源２４２からの射出光を、液晶パネル（以下、「ＬＣＰ」と呼ぶ）２４４で変調し、投写光学系２４６を介してスクリーンに投写する。投写光学系２４６には、ズームを調整するためのズーム機構２４８が設けられている。
【００２２】
入力インタフェース２１０は、パーソナルコンピュータ１００からのプレビューデータを入力し、画像処理部２２０に受け渡す。画像処理部２２０は、このプレビューデータに基づき、種々の画像処理を施した上で、ＬＣＰを駆動するためのデータを生成する。キーストーン補正部２２２は、この画像処理の一つとして、キーストーン補正、即ちあおり投写時の表示画像に生じる台形歪みに対する補正を実行する。キーストーン補正の方法自体は、周知であるため、ここでは詳細な説明は省略する。ＬＣＰ駆動部２３０は、画像処理部２２０からデータを受け、ＬＣＰ２４４を駆動して、射出光を変調することで、印刷プレビューの投写を実現する。
【００２３】
図３は基準値記憶部１３４の内容を示す説明図である。ここでは、プリンタ３００に対して、種々のサイズの印刷用紙が給紙可能であるものとして説明する。基準値記憶部１３４には、プレビューデータの生成時に参照されるデータとして、印刷用紙ごとにスケールおよび表示位置が記憶されている。図の下方にスケール、表示位置の説明を示した。
【００２４】
図の例は、プロジェクタ２００による投写領域Ａに印刷プレビューＢが表示された状態を示している。印刷プレビューＢを一定サイズの投写領域Ａに納めて実寸で表示するためには、画像データを、用紙サイズに応じて拡大、縮小することが要求される。例えば、Ａ３縦に対する印刷プレビューを、投写領域Ａ内に内接した状態で実寸表示できるように、Ａ３縦に対するスケールＳ１および投写領域Ａのサイズを設定した場合を考える。このように、投写領域Ａ内に内接した状態で表示される用紙サイズを、本実施例では、基準サイズと呼ぶものとする。アプリケーションプログラム１１０が一定の解像度で画像データをレンダリングしてプレビュー制御部１３０に出力する場合には、画像データを構成するピクセル数に用紙サイズが反映されることになるため、投写領域Ａ内に、Ａ４縦に対する印刷プレビューを実寸表示するためのスケールＳ２はスケールＳ１と同値となる。用紙サイズによってレンダリング時の解像度が異なる場合には、この解像度を考慮することにより、スケールＳ２はスケールＳ１と異なる値となる。
【００２５】
表示位置は、投写領域Ａ内で、印刷プレビューＢの配置位置を規定する情報である。本実施例では、印刷プレビューＢの代表点、例えば中心Ｒｐの位置を、投写領域Ａの基準点、例えば中心Ｏを基準として横方向、縦方向に定義されたｘ座標、ｙ座標で表したものを表示位置として用いる。代表点、基準点は種々の設定が可能である。本実施例では、基準サイズについては、投写領域Ａの中央に配置するものとした。従って、基準サイズについては、表示位置は（０，０）となる。
【００２６】
図示する通り、基準値記憶部１３４には、こうして設定されたスケールおよび表示位置が記憶されている。図中では、Ａ３縦、Ａ４縦について、スケールＳ１、Ｓ２および表示位置（０，０）、（ｘ１，ｙ１）が記憶されている例を示した。Ａ１縦、Ａ２縦は、印刷プレビューを行う対象の用紙サイズとして選択されていないことを表している。また、Ａ３縦は、表示位置が（０，０）であるため、基準サイズとなっていることが分かる。
【００２７】
Ｃ．キャリブレーション処理：
図４はキャリブレーション処理のフローチャートである。印刷プレビューシステムの初期設定に相当する処理であり、基準サイズの設定、各用紙サイズに応じた印刷プレビューを実寸表示するための設定を行うための処理である。この処理は、図２に示した登録部１３２の一機能として実行される処理である。
【００２８】
この処理が開始されると、登録部１３２は、プレビューの対象となる用紙サイズの選択を受け付ける（ステップＳ１０）。図中に、この選択を行うために登録部１３２がパーソナルコンピュータ１００のディスプレイに表示するインタフェース例を示した。ユーザは、Ａ１縦など各種の用紙サイズから、印刷で使用する可能性がある用紙サイズを、プレビュー対象として選択する。図の例は、Ａ３縦、Ａ４縦、Ａ３横、Ｂ４横が選択された状態を示している。
【００２９】
次に、登録部１３２は、以下の手順で、基準サイズを決定する。まず、登録部１３２は、選択された各用紙サイズに対してスケール変換率を計算する（ステップＳ１２）。スケール変換率とは、投写領域に各用紙サイズを内接した状態で表示するためのスケールを意味しており、基準値記憶部１３４に記憶されるスケール（図３参照）とは異なる。
【００３０】
図中にスケール変換率を説明する説明図を示した。投写領域の横方向、縦方向のピクセル数は、それぞれＰｘ，Ｐｙであるものとする。画像データを一定の解像度でレンダリングした場合の横方向、縦方向のピクセル数は、それぞれＷ、Ｈであるものとする。この画像を図中のハッチングで示すように、投写領域内に内接して表示するためには、画像データのスケール変換率は「Ｐｙ／Ｈ」と求められる。横長の用紙の場合には、スケール変換率は「Ｐｘ／Ｗ」で求められる場合もある。一般には、「Ｐｙ／Ｈ」および「Ｐｘ／Ｗ」のうち、小さい方の値を採ることで、内接するためのスケール変換率を求めることができる。
【００３１】
全ての用紙サイズに対する印刷プレビューを一定サイズの投写表示領域で実寸表示可能とするためには、投写表示領域のサイズは、大きい用紙サイズに対する印刷プレビューが内接するように設定することが好ましい。一定の解像度でレンダリングする場合、横方向、縦方向のピクセル数Ｗ、Ｈは、用紙サイズが大きい程、大きくなるから、上述の定義によれば、スケール変換率は、用紙サイズが大きい程、小さい値となる。従って、投写表示領域のサイズを規定する基準サイズとしては、ステップＳ１２で求められたスケール変換率が最小となる用紙サイズを選択することが好ましい。
【００３２】
登録部１３２はかかる観点から、スケール変換率が最小となる用紙サイズを基準サイズとして選択する（ステップＳ１４）。そして、基準サイズ以外の各用紙サイズについてスケール変換率を再調整し、基準値記憶部１３４の「スケール」として登録する（ステップＳ１４）。先に図３で説明した通り、全ての用紙サイズに対してアプリケーションプログラム１１０のレンダリング時に同一の解像度を用いる場合には、各用紙サイズに対して、基準値記憶部１３４の「スケール」は同値を登録すればよい。レンダリング時の解像度が異なる場合には、「基準サイズに対するスケール×（基準サイズのレンダリング解像度）／（各用紙サイズのレンダリング解像度）」で「スケール」を求めればよい。
【００３３】
登録部１３２は、以上の登録処理が終了すると、プレビューデータ生成部１３８を介して、基準サイズに対してキャリブレーション用の画像の投写表示を行わせる（ステップＳ１６）。図中に画像例を示した。この画像では、図のように寸法表示を入れたり、ズーム機構の調整を指示する文言を含めたりしてもよい。ユーザは、この画面で提示された寸法が実寸となるよう、プロジェクタ２００と印刷用紙との間隔、投写時のあおり角やキーストーン補正のレベル、ズーム機構などの調整を行う。この調整によって、基準サイズに対しては、実寸での印刷プレビュー表示が可能となる。
【００３４】
Ｄ．表示位置登録処理：
図５は表示位置登録処理のフローチャートである。基準サイズ以外の各用紙サイズについて、印刷プレビューの表示位置を調整し、登録するための処理である。この処理は、図２に示した登録部１３２の一機能として実行される処理である。
【００３５】
この処理が開始されると登録部１３２は、プレビュー対象として指定されている複数種類の用紙サイズの中から、調整対象となる用紙サイズを一つ選択する（ステップＳ２０）。プリンタ３００には、この用紙サイズに応じた印刷用紙が保持されているものとする。登録部１３２は、基準値記憶部１３４から、選択された用紙サイズに対応するスケール、表示位置を読込（ステップＳ２１）、表示位置調整用の画像をプロジェクタ２００によって投写表示させる（ステップＳ２２）。図中に画像例を示した。投写領域Ａ内で、印刷プレビューがハッチングの位置、即ち印刷用紙Ｂからずれた位置に表示された状態を示している。この場合、印刷プレビューの代表点を図中のＲｐまで移動させることで、印刷用紙Ｂ上に印刷プレビューを表示することが可能となる。
【００３６】
ユーザがキーボードを操作して印刷プレビューの代表点を移動させる調整量を入力すると、登録部１３２は、これを受け付け（ステップＳ２３、Ｓ２４）、再度、表示位置調整用画像の表示を行わせる（ステップＳ２２）。ユーザが「決定」の指示を入力すると（ステップＳ２３、Ｓ２４）、登録部１３２は、その時点での調整量を、表示位置として基準値記憶部１３４に登録する（ステップＳ２５）。登録部１３２は、以上の処理を、プレビュー対象として指定されている全用紙サイズに対して繰り返し実行する（ステップＳ２６）。この処理によって、各用紙サイズに対して、印刷プレビューを実寸で表示することが可能となる。
【００３７】
Ｅ．色補正データ登録処理：
図６は色補正データ登録処理のフローチャートである。プレビューデータの生成時に用いられる色補正用のデータを登録するための処理であり、図２に示した登録部１３２の一機能として実行される処理である。
【００３８】
登録部１３２は、基準サイズの用紙に、色補正用に予め用意されたカラーチャートをプリンタ３００により印刷する（ステップＳ３０）。これと併せてプロジェクタ２００により、基準サイズの印刷用紙上に、カラーチャートに対応した印刷プレビューを投写表示する（ステップＳ３１）。投写表示に用いられる印刷用紙と、カラーチャートの印刷に使用される印刷用紙は同質のものであるとする。
【００３９】
ユーザがキーボードを操作して色補正データを入力すると、登録部１３２は、これを受け付け（ステップＳ３２、Ｓ３３）、再度、カラーチャートの投写表示を行う（ステップＳ３１）。色補正データとしては、例えば、画像データの各色成分の階調変換を規定するトーンカーブや、γ補正量を規定するγ値など、明度、彩度、色相を補正するための種々のデータを用いることが出来る。ユーザが「決定」の指示を入力すると（ステップＳ３２、Ｓ３３）、登録部１３２は、色補正データを色補正データ記憶部１３６に登録する（ステップＳ３４）。この処理によって、印刷用紙に対して、現実の印刷物に近い色調で印刷プレビューを表示することが可能となる。
【００４０】
Ｆ．印刷プレビュー処理：
図７は印刷プレビュー処理のフローチャートである。ユーザがアプリケーションプログラム１１０において「印刷プレビュー」指示を入力することにより、プレビュー制御部１３０の一機能として実行される処理である。
【００４１】
処理が開始されると、プレビュー制御部１３０は、アプリケーションプログラム１１０から、用紙サイズおよび画像データを入力する（ステップＳ４０）。そして、この画像データに対応したスケール、表示位置を基準値記憶部１３４から入力し（ステップＳ４１）、プレビューデータの生成を行う（ステップＳ４２）。プレビューデータの生成では、スケールに応じた画像データの拡大・縮小、表示位置に応じた印刷プレビューの配置を行い、色補正データに応じた色補正処理が行われる。プレビュー制御部１３０は、こうして生成されたプレビューデータをプロジェクタ２００に出力し（ステップＳ４３）、印刷プレビューの投写表示を実現する。
【００４２】
以上で説明した印刷プレビューシステムによれば、印刷用紙に印刷プレビューを実寸で投写表示することができる。従って、印刷用紙のサイズ、質感を、印刷プレビューに反映させることが可能となり、現実の印刷物の状態を把握しやすい印刷プレビューを提示することができる。
【００４３】
本実施例では、印刷用紙のサイズに応じた拡大・縮小、表示位置の調整を施して印刷プレビューを行うことができる。従って、印刷用紙のサイズが変わっても、キャリブレーション処理（図４）、表示位置登録処理（図５）に相当する微調整を行うまでなく、印刷プレビューを容易に表示することができる利点もある。但し、これらの処理は、必須のものではなく、実施例の印刷プレビューシステムは、印刷用紙のサイズに応じた拡大・縮小、表示位置の調整を省略した構成としてもよい。また、色補正処理についても、省略可能である。
【００４４】
Ｇ．変形例：
図８は第１変形例としての印刷プレビューシステムの構成を示す説明図である。単票３２０Ａへの印刷を行うプリンタ３００Ａを用いた構成例を示した。この場合は、単票３２０Ａを立てて保持する保持機構３１０Ａを用いることにより、プロジェクタ２００から印刷プレビューの投写表示が可能となる。
【００４５】
図９は第２変形例としての印刷プレビューシステムの構成を示す説明図である。印刷プレビュー用に印刷用紙を保持する保持機構が、プリンタ３００Ａの給紙機構とは別体として用意された例を示した。第２変形例では、印刷用紙３２０Ｂを置くための載置台３１０Ｂが保持機構に相当する。載置台３１０Ｂには、印刷用紙のサイズに応じて、載置位置を規定するマーカ３１１Ｂが設けられている。
【００４６】
載置台３１０Ｂには、スタンド３１５Ｂによって、プロジェクタ２００Ｂが下向きに固定されている。載置台３１０Ｂの上にマーカ３１１Ｂに合わせて印刷用紙３２０Ｂを置くと、プロジェクタ２００Ｂから印刷プレビューを印刷用紙３２０Ｂ上に投写表示することができる。
【００４７】
プロジェクタ２００と印刷用紙３２０Ｂとの間隔は、印刷プレビューの表示サイズに影響を与えるため、安定して印刷プレビューを実寸表示するためには、両者の間隔を固定しておくことが好ましい。第２変形例では、スタンド３１５Ｂによってプロジェクタ２００Ｂと載置台３１０Ｂとの間隔が固定されるため、印刷プレビューを安定して実寸表示することができ、間隔のずれに起因するキャリブレーション処理のやり直しを回避することができる。
【００４８】
第２変形例では、プロジェクタ２００が載置台３１０Ｂに固定されている例を示したが、両者を別体としても構わない。例えば、プロジェクタ２００を天井に取り付けても良い。この場合は、通常のテーブルを載置台３１０Ｂとして用いることも可能である。また、投写は必ずしも上方から行う必要はなく図１、図８で示したように側方から行っても良い。この場合は、例えば、壁に立てかけたボードや壁自体に、マグネット等で印刷用紙を保持可能としたものを保持機構として用いても良い。この場合もマーカ３１１Ｂのように、印刷用紙を保持する位置を規定する印を設けておくことが好ましい。
【００４９】
以上、本発明の種々の実施例について説明したが、本発明はこれらの実施例に限定されず、その趣旨を逸脱しない範囲で種々の構成を採ることができることはいうまでもない。
【図面の簡単な説明】
【００５０】
【図１】実施例としての印刷プレビューシステムの全体構成を示す説明図である。
【図２】機能ブロックを示す説明図である。
【図３】基準値記憶部１３４の内容を示す説明図である。
【図４】キャリブレーション処理のフローチャートである。
【図５】表示位置登録処理のフローチャートである。
【図６】色補正データ登録処理のフローチャートである。
【図７】印刷プレビュー処理のフローチャートである。
【図８】第１変形例としての印刷プレビューシステムの構成を示す説明図である。
【図９】第２変形例としての印刷プレビューシステムの構成を示す説明図である。
【符号の説明】
【００５１】
１００...パーソナルコンピュータ
１１０...アプリケーションプログラム
１２０...プリンタドライバ
１３０...プレビュー制御部
１３２...登録部
１３４...基準値記憶部
１３６...色補正データ記憶部
１３８...プレビューデータ生成部
２００、２００Ｂ...プロジェクタ
２１０...入力インタフェース
２２０...画像処理部
２２２...キーストーン補正部
２３０...ＬＣＰ駆動部
２４２...光源
２４４...ＬＣＰ
２４６...投写光学系
２４８...ズーム機構
３００、３００Ａ...プリンタ
３１０、３１０Ａ...保持機構
３１０Ｂ...載置台
３１１Ｂ...マーカ
３１５Ｂ...スタンド
３２０...ロール紙
３２０Ａ...単票
３２０Ｂ...印刷用紙
３３０...天井
【図１】
2005208792.tif 000003
【図２】
2005208792.tif 000004
【図３】
2005208792.tif 000005
【図４】
2005208792.tif 000006
【図５】
2005208792.tif 000007
【図６】
2005208792.tif 000008
【図７】
2005208792.tif 000009
【図８】
2005208792.tif 000010
【図９】
2005208792.tif 000011